【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
緯入れ用ノズルのエア噴射作用によって緯糸を緯糸案内通路に沿って緯入れするジェットルームにおいて、緯糸捕捉通路を形成する通路形成体とストレッチノズルとを備え、前記緯糸を前記緯糸捕捉通路内に捕捉すべく、前記ストレッチノズルから噴射されるエア流によって緯糸を緯糸捕捉通路内へ導入する緯糸張力付与装置であって、
前記通路形成体は、前記緯糸案内通路の前側に配設されるとともに、その配設位置を前記緯糸案内通路に沿って変更可能であり、前記緯糸捕捉通路の少なくとも一部は、前記緯糸案内通路の延びる方向と交差する方向に延びており、前記緯糸捕捉通路は、前記緯糸案内通路又は該緯糸案内通路の前方から下方へ向かう降下通路を、その少なくとも一部として含むことを特徴とするジェットルームにおける緯糸張力付与装置。
【請求項２】
前記緯糸捕捉通路を形成する前記通路形成体の形成壁面は、前記緯糸を屈曲させるための少なくとも２つの屈曲部を有することを特徴とする請求項１に記載のジェットルームにおける緯糸張力付与装置。
【請求項３】
前記緯糸捕捉通路は、前記緯糸案内通路に連なる導入口を有することを特徴とする請求項１及び請求項２のいずれか１項に記載のジェットルームにおける緯糸張力付与装置。
【請求項４】
前記通路形成体は前記導入口を形成する筒部を含み、前記導入口が緯糸の進行方向とは逆方向を向くように、前記筒部が前記緯糸案内通路に入り込むことを特徴とする請求項３に記載のジェットルームにおける緯糸張力付与装置。
【請求項５】
前記筒部の外周面は弾性材で被覆されていることを特徴とする請求項４に記載のジェットルームにおける緯糸張力付与装置。
【請求項６】
前記ストレッチノズルは前記通路形成体に設けられ、該ストレッチノズルは前記エア流を前記緯糸捕捉通路内に生成し、且つ同緯糸捕捉通路内で緯糸を屈曲させることを特徴とする請求項１乃至請求項５のいずれか１項に記載のジェットルームにおける緯糸張力付与装置。
【請求項７】
前記ストレッチノズルは前記緯糸捕捉通路内で緯糸を屈曲させるべく前記通路形成体に設けられ、前記通路形成体は前記緯糸捕捉通路の途中に接続される分岐流路を備え、その分岐流路は通路形成体の下方にのみ開放される出口を有し、前記緯糸捕捉通路は当該緯糸捕捉通路と前記分岐流路との接続部より下流に位置する方向転換口を有し、前記ストレッチノズルのエア噴射方向は前記方向転換口に向けられていることを特徴とする請求項１乃至請求項５のいずれか１項に記載のジェットルームにおける緯糸張力付与装置。
【請求項８】
前記ストレッチノズルは前記緯糸捕捉通路内で緯糸を屈曲させるべく前記通路形成体に設けられ、前記通路形成体は前記降下通路の終端に接続される分岐流路を備え、その分岐流路は通路形成体の下方にのみ開放される出口を有し、前記緯糸捕捉通路は前記降下通路より下流に位置する方向転換口を有し、前記ストレッチノズルのエア噴射方向は前記方向転換口に向けられていることを特徴とする請求項１乃至請求項５のいずれか１項に記載のジェットルームにおける緯糸張力付与装置。
【請求項９】
前記ストレッチノズルは前記緯糸案内通路を形成する筬の背面側に配設され、そのストレッチノズルから前記緯糸案内通路を横切るように前記緯糸捕捉通路の導入口にエアが吹き込まれることを特徴とする請求項１乃至請求項５のいずれか１項に記載のジェットルームにおける緯糸張力付与装置。
【請求項１０】
前記ストレッチノズルと前記筬の背面との間には弾性材が配置されることを特徴とする請求項９に記載のジェットルームにおける緯糸張力付与装置。
【請求項１１】
前記ストレッチノズルは、第１のストレッチノズル及び第２のストレッチノズルの少なくとも一方であり、第１のストレッチノズルのエア噴射方向と第２のストレッチノズルのエア噴射方向とは、前記緯糸捕捉通路内で交差することを特徴とする請求項１乃至請求項６のいずれか１項に記載のジェットルームにおける緯糸張力付与装置。
【請求項１２】
前記通路形成体は前記緯糸捕捉通路の途中に接続される分岐流路を備え、その分岐流路は通路形成体の外部に開放され、前記第１のストレッチノズルのエア噴射方向と前記第２のストレッチノズルのエア噴射方向とは、前記緯糸捕捉通路と前記分岐流路との接続部において交差することを特徴とする請求項１１に記載のジェットルームにおける緯糸張力付与装置。
【請求項１３】
前記緯糸捕捉通路は、前記緯糸案内通路と交差するように該緯糸案内通路の下流側に向けられた出口を有することを特徴とする請求項１乃至請求項１２のいずれか１項に記載のジェットルームにおける緯糸張力付与装置。
【請求項１４】
前記緯糸捕捉通路は、前記通路形成体の下方にのみ開放される出口を有することを特徴とする請求項１乃至請求項６のいずれか１項に記載のジェットルームにおける緯糸張力付与装置。
【請求項１５】
前記ジェットルームは支持溝を有するスレイを備え、前記緯入れ用ノズル及び前記通路形成体は共に、前記支持溝を用いて前記スレイに取り付けられることを特徴とする請求項１乃至請求項１４のいずれか１項に記載のジェットルームにおける緯糸張力付与装置。
【手続補正２】
【補正対象書類名】明細書
【補正対象項目名】００１０
【補正方法】変更
【補正の内容】
【００１０】
そのために本発明は、緯入れ用ノズルのエア噴射作用によって緯糸を緯糸案内通路に沿って緯入れするジェットルームにおいて、緯糸捕捉通路を形成する通路形成体とストレッチノズルとを備え、前記緯糸を前記緯糸捕捉通路内に捕捉すべく、前記ストレッチノズルから噴射されるエア流によって緯糸を緯糸捕捉通路内へ導入する緯糸張力付与装置を対象とし、請求項１の発明は、前記通路形成体は、前記緯糸案内通路の前側に配設されるとともに、その配設位置を前記緯糸案内通路に沿って変更可能であり、前記緯糸捕捉通路の少なくとも一部は、前記緯糸案内通路の延びる方向と交差する方向に延びており、前記緯糸捕捉通路は、前記緯糸案内通路又は該緯糸案内通路の前方から下方へ向かう降下通路を、その少なくとも一部として含むことを特徴とする。
【手続補正３】
【補正対象書類名】明細書
【補正対象項目名】００１１
【補正方法】変更
【補正の内容】
【００１１】
緯糸案内通路の通路方向と交差する通路方向を有する緯糸捕捉通路に導入された緯糸先端部は、屈曲した形状で捕捉される。緯糸先端部を屈曲した形状でエア流によって捕捉する構成は、緯糸に対して十分な張力を付与する。緯糸先端部を屈曲した形状で捕捉する緯糸捕捉通路を備えた通路形成体は、緯糸案内通路の前側（筬の前側）にあるので、隣り合う筬羽の間に緯糸を通して捕捉パイプに緯糸を導入する従来装置のように筬羽の間隔を広げる必要がない。従って、筬羽の間隔を広げることに起因する織物の損傷のおそれはない。又、緯糸案内通路に沿って通路形成体の配設位置を変更できるので、織り幅の変更に対処することができる。
緯糸捕捉通路が緯糸案内通路又は該緯糸案内通路の前方から下方へ向かう降下通路を、その少なくとも一部として含む構成は、織前付近の織布の織り縮みを防止するために設けられたテンプル装置との干渉を回避する上で有効である。
【手続補正４】
【補正対象書類名】明細書
【補正対象項目名】００１２
【補正方法】変更
【補正の内容】
【００１２】
請求項２の発明は、請求項１において、前記緯糸捕捉通路を形成する前記通路形成体の形成壁面は、前記緯糸を屈曲させるための少なくとも２つの屈曲部を有することを特徴とする。
緯糸捕捉通路に導入された緯糸先端部は、少なくとも２箇所で屈曲した形状で捕捉される。少なくとも２箇所で屈曲した形状で緯糸を捕捉する構成は、緯糸の飛走終了時の糸振動を抑制する上で非常に有効であり、少ないエア流量で高い緯糸捕捉性能をもたらす。
【手続補正５】
【補正対象書類名】明細書
【補正対象項目名】００１３
【補正方法】変更
【補正の内容】
【００１３】
請求項３の発明は、請求項１及び請求項２のいずれか１項において、前記緯糸捕捉通路は、前記緯糸案内通路に連なる導入口を有することを特徴とする。
緯糸捕捉通路の導入口を緯糸案内通路に連ねた構成は、緯糸案内通路を飛走してくる緯糸先端部を緯糸捕捉通路に導入する確実性を高める上で有効である。
【手続補正６】
【補正対象書類名】明細書
【補正対象項目名】００１４
【補正方法】変更
【補正の内容】
【００１４】
請求項４の発明は、前記通路形成体は前記導入口を形成する筒部を含み、前記導入口が緯糸の進行方向とは逆方向を向くように、前記筒部が前記緯糸案内通路に入り込むことを特徴とする。
【手続補正７】
【補正対象書類名】明細書
【補正対象項目名】００１５
【補正方法】変更
【補正の内容】
【００１５】
緯糸捕捉通路の導入口を形成する筒部を前記緯糸案内通路に入り込ませた構成は、緯糸案内通路を飛走してくる緯糸先端部を緯糸捕捉通路に導入する確実性を高める。
請求項５の発明は、請求項４において、前記筒部の外周面は弾性材で被覆されていることを特徴とする。
【手続補正８】
【補正対象書類名】明細書
【補正対象項目名】００１６
【補正方法】変更
【補正の内容】
【００１６】
緯糸案内通路を形成する筬羽に弾性材を接触させて筬羽と筒部の外周との間の隙間を少なくしてやると、緯糸案内通路を飛走してくる緯糸先端部を緯糸捕捉通路に導入する確実性が高まる。筬羽と筒部とを直接接触させると、筬羽の振動による摩耗損傷が生じるが、弾性材は、筬羽と筒部との直接接触を回避して摩耗損傷を防止する効果をもたらす。
【手続補正９】
【補正対象書類名】明細書
【補正対象項目名】００１７
【補正方法】変更
【補正の内容】
【００１７】
請求項６の発明は、請求項１乃至請求項５のいずれか１項において、前記ストレッチノズルは前記通路形成体に設けられ、該ストレッチノズルは前記エア流を前記緯糸捕捉通路内に生成し、且つ同緯糸捕捉通路内で緯糸を屈曲させることを特徴とする。
【手続補正１０】
【補正対象書類名】明細書
【補正対象項目名】００１８
【補正方法】変更
【補正の内容】
【００１８】
通路形成体に設けたストレッチノズルから噴射されるエア流によって緯糸捕捉通路内で緯糸を屈曲させる構成は、緯糸に対して十分な張力を付与する上で好ましい。
請求項７の発明は、請求項１乃至請求項５のいずれか１項において、前記ストレッチノズルは前記緯糸捕捉通路内で緯糸を屈曲させるべく前記通路形成体に設けられ、前記通路形成体は前記緯糸捕捉通路の途中に接続される分岐流路を備え、その分岐流路は通路形成体の下方にのみ開放される出口を有し、前記緯糸捕捉通路は当該緯糸捕捉通路と前記分岐流路との接続部より下流に位置する方向転換口を有し、前記ストレッチノズルのエア噴射方向は前記方向転換口に向けられていることを特徴とする。
【手続補正１１】
【補正対象書類名】明細書
【補正対象項目名】００１９
【補正方法】変更
【補正の内容】
【００１９】
緯糸捕捉通路の方向転換口を指向するストレッチノズルから噴射されたエアは、方向転換口より上流の緯糸捕捉通路を通ってきた緯糸を方向転換口へ吹き入れる。緯糸は、緯糸捕捉通路内で方向転換して屈曲する。ストレッチノズルから噴射されるエア流によって緯糸捕捉通路内で緯糸を屈曲させる構成は、緯糸に対して十分な張力を付与する上で好ましい。分岐流路の存在は、分岐流路と緯糸捕捉通路との接続部より上流の緯糸捕捉通路から流れてくるエア流を減速させる。このエア流の減速は、緯糸先端部が分岐流路と緯糸捕捉通路との接続部より下流の緯糸捕捉通路の方向転換口へ入り易くする。分岐流路の出口を下方にのみ開放した構成は、捨て耳を構成している緯糸の端部が分岐流路内へ入り込むのを防止する。
【手続補正１２】
【補正対象書類名】明細書
【補正対象項目名】００２０
【補正方法】変更
【補正の内容】
【００２０】
請求項８の発明は、請求項１乃至請求項５のいずれか１項において、前記ストレッチノズルは前記緯糸捕捉通路内で緯糸を屈曲させるべく前記通路形成体に設けられ、前記通路形成体は前記降下通路の終端に接続される分岐流路を備え、その分岐流路は通路形成体の下方にのみ開放される出口を有し、前記緯糸捕捉通路は前記降下通路より下流に位置する方向転換口を有し、前記ストレッチノズルのエア噴射方向は前記方向転換口に向けられていることを特徴とする。
【手続補正１３】
【補正対象書類名】明細書
【補正対象項目名】００２１
【補正方法】変更
【補正の内容】
【００２１】
降下通路より下流の緯糸捕捉通路の方向転換口を指向するストレッチノズルから噴射されたエアは、降下通路を通ってきた緯糸を下流の緯糸捕捉通路へ吹き入れる。緯糸は、降下通路より下流の緯糸捕捉通路と降下通路との接続部で方向転換して屈曲する。ストレッチノズルから噴射されるエア流によって降下通路より下流の緯糸捕捉通路と降下通路との接続部で緯糸を屈曲させる構成は、緯糸に対して十分な張力を付与する上で好ましい。分岐流路の存在は、分岐流路と降下通路との接続部より上流の降下通路から流れてくるエア流を減速させる。このエア流の減速は、緯糸先端部が分岐流路と降下通路との接続部より下流の緯糸捕捉通路の方向転換口へ入り易くする。分岐流路の出口を下方にのみ開放した構成は、捨て耳を構成している緯糸の端部が分岐流路内へ入り込むのを防止する。
【手続補正１４】
【補正対象書類名】明細書
【補正対象項目名】００２２
【補正方法】変更
【補正の内容】
【００２２】
請求項９の発明は、請求項１乃至請求項５のいずれか１項において、前記ストレッチノズルは前記緯糸案内通路を形成する筬の背面側に配設され、そのストレッチノズルから前記緯糸案内通路を横切るように前記緯糸捕捉通路の導入口にエアが吹き込まれることを特徴とする。
【手続補正１５】
【補正対象書類名】明細書
【補正対象項目名】００２３
【補正方法】変更
【補正の内容】
【００２３】
筬の背面側に配設されたストレッチノズルから緯糸捕捉通路の導入口に吹き込まれるエアの流れは、緯糸案内通路を飛走してくる緯糸先端部を緯糸捕捉通路に導入する確実性を高める。
【手続補正１６】
【補正対象書類名】明細書
【補正対象項目名】００２４
【補正方法】変更
【補正の内容】
【００２４】
請求項１０の発明は、請求項９において、前記ストレッチノズルと前記筬の背面との間には弾性材が配置されることを特徴とする。
【手続補正１７】
【補正対象書類名】明細書
【補正対象項目名】００２５
【補正方法】変更
【補正の内容】
【００２５】
請求項１１の発明は、請求項１乃至請求項６のいずれか１項において、前記ストレッチノズルは、第１のストレッチノズル及び第２のストレッチノズルの少なくとも一方であり、第１のストレッチノズルのエア噴射方向と第２のストレッチノズルのエア噴射方向とは、前記緯糸捕捉通路内で交差することを特徴とする。
【手続補正１８】
【補正対象書類名】明細書
【補正対象項目名】００２６
【補正方法】変更
【補正の内容】
【００２６】
請求項１２の発明は、請求項１１において、前記通路形成体は前記緯糸捕捉通路の途中に接続される分岐流路を備え、その分岐流路は通路形成体の外部に開放され、前記第１のストレッチノズルのエア噴射方向と前記第２のストレッチノズルのエア噴射方向とは、前記緯糸捕捉通路と前記分岐流路との接続部において交差することを特徴とする。
請求項１３の発明は、請求項１乃至請求項１２のいずれか１項において、前記緯糸捕捉通路は、前記緯糸案内通路と交差するように該緯糸案内通路の下流側に向けられた出口を有することを特徴とする。
特許文献４に開示のように、ジェットルームでは、緯糸が所定の位置まで到達したか否かを検出する第１の緯糸検出器や、緯糸が所定の長さよりも余分に緯入れされてしまったか否かを検出する第２の緯糸検出器が一般的に使用される。第１及び第２の緯糸検出器は、緯糸案内通路内の緯糸の有無を検出する。つまり、第１及び第２の緯糸検出器は、緯糸案内通路内に検出領域を有する。緯糸捕捉通路の出口の方向を緯糸案内通路と交差するように前記緯糸案内通路の下流側に向けた構成は、第２の緯糸検出器による緯糸の有無の検出を可能にする。
請求項１４の発明は、請求項１乃至請求項６のいずれか１項において、前記緯糸捕捉通路は、前記通路形成体の下方にのみ開放される出口を有することを特徴とする。
請求項１５の発明は、請求項１乃至請求項１４のいずれか１項において、前記ジェットルームは支持溝を有するスレイを備え、前記緯入れ用ノズル及び前記通路形成体は共に、前記支持溝を用いて前記スレイに取り付けられることを特徴とする。
【手続補正１９】
【補正対象書類名】明細書
【補正対象項目名】００４６
【補正方法】変更
【補正の内容】
【００４６】
緯糸捕捉通路３８の途中に緯糸捕捉通路３８の一部として接続された溝２３は、通路形成体３９の外部に開放する分岐流路である。ストレッチノズル３１２の噴射方向とストレッチノズル３０の噴射方向との交差部は、緯糸捕捉通路３８と溝２３との接続部に設定されている。導入口２７２は、分岐流路である溝２３と緯糸捕捉通路３８との接続部より下流の緯糸捕捉通路の方向転換口となる。ストレッチノズル３１２とストレッチノズル３０とは、第１のストレッチノズルと第２のストレッチノズルとの組となる。
【手続補正２０】
【補正対象書類名】明細書
【補正対象項目名】００６８
【補正方法】変更
【補正の内容】
【００６８】
第１の緯糸捕捉パイプ２６Ａの通路２６３、溝２３、第２の緯糸捕捉パイプ２７Ａの通路２７３、溝４２、及び第３の緯糸捕捉パイプ４４の通路４４３は、緯糸案内通路１２１の通路方向と交差する通路方向を有する緯糸捕捉通路４８を構成する。ストレッチノズル３１２からのエア流によって第１の緯糸捕捉パイプ２６Ａ内に吹き入れた緯糸Ｙの先端部は、ストレッチノズル３０からのエア流によって第２の緯糸捕捉パイプ２７Ａ内へ吹き入れられる。第２の緯糸捕捉パイプ２７Ａ内へ吹き入れられた緯糸Ｙの先端部は、ストレッチノズル４５からのエア流によって第３の緯糸捕捉パイプ４４内へ吹き入れられる。緯糸捕捉通路４８内に捕捉された緯糸Ｙの先端部は、第３の緯糸捕捉パイプ４４の終端近くまで達する。ストレッチノズル３１２とストレッチノズル３０とは、第１のストレッチノズルと第２のストレッチノズルとの組となり、ストレッチノズル３０とストレッチノズル４５とは、第１のストレッチノズルと第２のストレッチノズルとの組となる。
【手続補正２１】
【補正対象書類名】明細書
【補正対象項目名】０１１２
【補正方法】削除
【補正の内容】
【手続補正２２】
【補正対象書類名】明細書
【補正対象項目名】０１１３
【補正方法】削除
【補正の内容】
【手続補正２３】
【補正対象書類名】明細書
【補正対象項目名】０１１４
【補正方法】削除
【補正の内容】
【手続補正２４】
【補正対象書類名】明細書
【補正対象項目名】０１１５
【補正方法】削除
【補正の内容】
【手続補正２５】
【補正対象書類名】明細書
【補正対象項目名】０１１６
【補正方法】削除
【補正の内容】